(57)【要約】【課題】ケーブル非使用時における見栄えを向上させたプラグ引き出し用器具を提供する。【解決手段】プラグ引き出し用器具１は、前後方向の両端が開口する角筒状の器具本体１０と、ケーブルＣＡ１の先端部に設けたプラグ５の外形寸法より小さいケーブル挿通孔１１ａを有し、器具本体１０の後側の開口を覆うように配置される背面板１１とを備える。器具本体１０は、背面板１１のケーブル挿通孔１１ａを通して後側から導入されたケーブルＣＡ１に設けたプラグ５が収納される収納部１０ｃを有しており、この収納部１０ｃにプラグ５を収納させることでケーブル非使用時における見栄えを向上させることができる。【選択図】図１
2012075205.tif 000002
【特許請求の範囲】
【請求項１】
前後方向の両端が開口する筒状の器具本体と、ケーブル先端に設けたプラグの外形寸法より小さいケーブル挿通孔を有し前記器具本体の後側の開口を覆うように配置される背面板とを備え、前記器具本体は、前記ケーブル挿通孔を通して後側から導入された前記ケーブルに設けた前記プラグの少なくとも一部が収納される収納部を有していることを特徴とするプラグ引き出し用器具。
【請求項２】
前記器具本体は、大角形連用配線器具を３個まで取付可能な取付枠に取り付けることができる大きさに形成されていることを特徴とする請求項１記載のプラグ引き出し用器具。
【請求項３】
前記背面板は、前記器具本体に対して着脱自在に設けられていることを特徴とする請求項１又は２記載のプラグ引き出し用器具。
【請求項４】
前記背面板は、前記器具本体に設けた軸部に回転自在に支持されていることを特徴とする請求項１又は２記載のプラグ引き出し用器具。
【請求項５】
前記器具本体の前記収納部に収納された前記プラグを保持する保持部材が設けられていることを特徴とする請求項１〜４の何れか１項に記載のプラグ引き出し用器具。
【請求項６】
前記保持部材は、前記プラグの一部を前記器具本体の前側に露出させる切欠き部を有していることを特徴とする請求項５記載のプラグ引き出し用器具。
【請求項７】
前記背面板は、前記保持部材と一体に設けられており、前記保持部材を前記器具本体の前側に引き出すことで前記器具本体の後側の開口を開放し、前記保持部材を前記器具本体の内部に押し込むことで前記器具本体の後側の開口を閉塞することを特徴とする請求項５又は６記載のプラグ引き出し用器具。
【発明の詳細な説明】
【技術分野】
【０００１】
本発明は、プラグ引き出し用器具に関するものである。
【背景技術】
【０００２】
従来より、造営面の裏面側に先行配線されたケーブルを室内側に入線するための入線プレートが提供されている（例えば特許文献１参照）。この入線プレートは、造営面に取り付けられるボディと、ボディの前面に開閉自在に取り付けられるカバーとを備える。この入線プレートによれば、ボディに設けた引込穴からケーブルを室内側に引き込むとともにボディに設けた凹部にケーブルを配置した後、カバーをボディに被着させることで、ボディの凹部とカバーの凹部の周縁部にケーブルが当接する形で保持される。
【先行技術文献】
【特許文献】
【０００３】
【特許文献１】特開２００１−１４５２３５号公報（段落［００１９］−段落［００２４］、及び、第１図−第３図）
【発明の概要】
【発明が解決しようとする課題】
【０００４】
上述の特許文献１に示した入線プレートでは、ケーブルを使用しない時にはカバーを開けてケーブルを造営面の裏面側に戻すことでケーブル長を短くできるものの、ケーブル先端に設けたプラグはプラグ全体がカバーから露出して垂れ下がった状態になるため、見栄えがよくなかった。
【０００５】
本発明は上記問題点に鑑みて為されたものであり、その目的とするところは、ケーブル非使用時における見栄えを向上させたプラグ引き出し用器具を提供することにある。
【課題を解決するための手段】
【０００６】
本発明のプラグ引き出し用器具は、前後方向の両端が開口する筒状の器具本体と、ケーブル先端に設けたプラグの外形寸法より小さいケーブル挿通孔を有し器具本体の後側の開口を覆うように配置される背面板とを備え、器具本体は、ケーブル挿通孔を通して後側から導入されたケーブルに設けたプラグの少なくとも一部が収納される収納部を有していることを特徴とする。
【０００７】
このプラグ引き出し用器具において、器具本体は、大角形連用配線器具を３個まで取付可能な取付枠に取り付けることができる大きさに形成されているのが好ましい。
【０００８】
また、このプラグ引き出し用器具において、背面板は、器具本体に対して着脱自在に設けられているのも好ましい。
【０００９】
さらに、このプラグ引き出し用器具において、背面板は、器具本体に設けた軸部に回転自在に支持されているのも好ましい。
【００１０】
また、このプラグ引き出し用器具において、器具本体の収納部に収納されたプラグを保持する保持部材が設けられているのも好ましい。
【００１１】
さらに、このプラグ引き出し用器具において、保持部材は、プラグの一部を器具本体の前側に露出させる切欠き部を有しているのも好ましい。
【００１２】
また、このプラグ引き出し用器具において、背面板は、保持部材と一体に設けられており、保持部材を器具本体の前側に引き出すことで器具本体の後側の開口を開放し、保持部材を器具本体の内部に押し込むことで器具本体の後側の開口を閉塞するのも好ましい。
【発明の効果】
【００１３】
ケーブル非使用時における見栄えを向上させたプラグ引き出し用器具を提供することができるという効果がある。
【図面の簡単な説明】
【００１４】
【図１】（ａ）〜（ｃ）は実施形態１のプラグ引き出し用器具に対するケーブルの施工手順を説明する模式的な説明図である。
【図２】同上の正面図である。
【図３】同上と取付枠とプレートの分解斜視図である。
【図４】同上と取付枠とプレートの組付状態を示し、（ａ）は収納部にプラグを収納させた状態の正面図、（ｂ）は前側にケーブルを引き出した状態の正面図である。
【図５】取付枠及びプレートと一体に組み付けられた同上の収納部にプラグを収納させた状態の背面斜視図である。
【図６】（ａ），（ｂ）は同上に施工されるケーブルの抜け止め部材の一例を示す斜視図である。
【図７】（ａ），（ｂ）は同上に施工されるケーブルの抜け止め部材の他の例を示す斜視図である。
【図８】（ａ）〜（ｃ）は実施形態２のプラグ引き出し用器具に対するケーブルの施工手順を説明する模式的な説明図である。
【図９】（ａ）は同上の正面図、（ｂ）は同上の他の例の正面図である。
【図１０】（ａ），（ｂ）は同上のさらに他の例の正面図である。
【図１１】実施形態３のプラグ引き出し用器具を示し、（ａ），（ｂ）はプラグの収納手順を説明する模式的な説明図、（ｃ）はプラグを収納した状態の正面図である。
【図１２】同上の他のプラグ引き出し用器具を示し、（ａ），（ｂ）はプラグの収納手順を説明する模式的な説明図、（ｃ）はプラグを収納した状態の正面図である。
【図１３】同上のさらに他のプラグ引き出し用器具を示し、（ａ）〜（ｃ）はプラグの収納手順を説明する模式的な説明図、（ｄ）はプラグを収納した状態の正面図である。
【発明を実施するための形態】
【００１５】
以下に、本発明に係るプラグ引き出し用器具の実施形態を図面に基づいて説明する。なお、以下の説明では特に断りがない限り、図４（ａ）に示す向きにおいて上下左右の方向を規定し、さらに図４（ａ）中の紙面に垂直な方向を前後方向と規定する。したがって、図１（ａ）中の左側が前側となる。
【００１６】
（実施形態１）
本実施形態のプラグ引き出し用器具１は、図１及び図２に示すように、前後方向の両端が開口する角筒状の器具本体１０と、器具本体１０の後側の開口を覆うように当該器具本体１０の筒内に配置される背面板１１とを備える。
【００１７】
器具本体１０は、例えば合成樹脂成型品であって、左右両側壁には後述の取付枠３（図３参照）に設けた一対の嵌合孔３３，３３に嵌め込まれる２個の嵌合突起１０ａ，１０ａがそれぞれ上下両側に設けられている。また、器具本体１０の筒内の底面には、器具本体１０の下側後端縁との間で背面板１１を保持する保持突起１０ｂが設けられており、さらに器具本体１０の筒内空間により、ケーブルＣＡ１に設けたプラグ５を収納するための収納部１０ｃが構成されている。なお、器具本体１０の前面には、図２に示すように、ケーブルＣＡ１の接続先を表示する表示部１２が設けられている。
【００１８】
背面板１１は、器具本体１０の前面開口よりも上下寸法が小さく且つ左右寸法が略同寸法に設定された矩形板状であって、下側中央にはケーブルＣＡ１を挿通させるためのケーブル挿通孔１１ａが設けられている。また、ケーブル挿通孔１１ａの左右両側には、背面板１１の着脱用に設けられたＬ字状の操作片１１ｂ，１１ｂが一体に設けられている。なお、上記のケーブル挿通孔１１ａは、ケーブルＣＡ１に設けたプラグ５の外形寸法よりも小さく、且つ、ケーブルＣＡ１の外径寸法よりも大きい寸法に設定されている。
【００１９】
次に、プラグ引き出し用器具１にケーブルＣＡ１を施工する手順について、図１（ａ）〜図１（ｃ）を参照しながら説明する。図１（ａ）に示すように、操作片１１ｂを用いて背面板１１を器具本体１０の筒内から前方（図１（ａ）中の矢印Ａの向き）に引き出した後、器具本体１０の後側の開口から筒内（収納部１０ｃ）を通して前側にケーブルＣＡ１を引き出す（図１（ｂ）参照）。そして、図１（ｂ）に示すように、斜め上方から矢印Ｂの向きに背面板１１を器具本体１０の筒内に挿入し、器具本体１０の下側後端縁と保持突起１０ｂの間に背面板１１を保持させると、背面板１１のケーブル挿通孔１１ａ内にケーブルＣＡ１が配置された状態になる（図１（ｃ）参照）。
【００２０】
ここにおいて、ケーブル挿通孔１１ａは、上述のようにプラグ５の外形寸法よりも小さい寸法に設定されており、器具本体１０に背面板１１を取り付けた状態では、器具本体１０の収納部１０ｃに収納したプラグ５が器具本体１０の後側に落ち込むのを防止することができる。また、背面板１１が器具本体１０に対して着脱自在に設けられているので、ケーブルＣＡ１の通線時には背面板１１を取り外すことで通線の邪魔になることがなく、施工性が向上する。
【００２１】
なお、ケーブルＣＡ１の途中位置には、図１（ｂ）及び図１（ｃ）に示すように抜け止め部材８が取り付けられ、この抜け止め部材８が背面板１１に引っ掛かることでケーブルＣＡ１の前側への引き出し量が制限されるようになっている。具体的には、図６（ａ）及び図６（ｂ）に示すように、側面にスリット８１ａが設けられた筒状体８１をケーブルＣＡ１に取り付けて抜け止め部材８を構成してもいいし、また図７（ａ）に示すクリップ８２や図７（ｂ）に示す結束バンド８３をケーブルＣＡ１に取り付けて抜け止め部材８を構成してもよい。さらに、図示は省略しているが、針金などで抜け止め部材を構成してもよい。つまり、ケーブルＣＡ１の前側への引き出し量が制限できるものであればよい。
【００２２】
ところで、本実施形態のプラグ引き出し用器具１は、図３〜図５に示すようにプレート２及び取付枠３を用いて壁Ｗに取り付けられる。以下、プレート２及び取付枠３について説明する。
【００２３】
取付枠３は、例えばＪＩＳ等で規格化された従来周知のものであって、図３に示すように金属板を打ち抜き及び曲げ加工することで窓孔３１を有する矩形枠状に形成される。取付枠３の左右両側片３２，３２には、上記の嵌合突起１０ａ，１０ａがそれぞれ嵌め込まれる一対の嵌合孔３３，３３が上下方向に沿って３組ずつ設けられている。また、取付枠３の上下両側片３４，３４には、取付ねじ６が挿通される横長のねじ挿通孔３５がそれぞれ設けられている。この取付枠３は、例えば金属板により略Ｃ字状に形成されたはさみ金具４を壁Ｗの裏側に配置し、はさみ金具４の両端部に設けられたねじ孔４１，４１にそれぞれ取付ねじ６，６をねじ込むことで、はさみ金具４とともに壁Ｗを挟持する形で壁Ｗの表面に取り付けられる。
【００２４】
プレート２は、図３に示すように、合成樹脂成型品からなる化粧プレート２０及びプレート枠２１で構成される従来周知のものである。プレート枠２１は窓孔２１ａを有する矩形枠状に形成され、上下両側片２１ｂ，２１ｂに設けられたねじ挿通孔２１ｃ，２１ｃにそれぞれ挿通させた固定ねじ７，７を、取付枠３の上下両側片３４，３４に設けたねじ孔３６，３６にそれぞれねじ込むことで、前面側から取付枠３に取り付けられる。また、化粧プレート２０も窓孔２０ａを有する矩形枠状に形成され、背面側から後方に突設された複数（図５では計６個）の係止爪２０ｂを、それぞれプレート枠２１の左右両側片２１ｄ，２１ｄに設けた各係止孔２１ｅに係止することで、前面側からプレート枠２１に取り付けられる。
【００２５】
ここで、図４（ａ）及び図４（ｂ）はプラグ引き出し用器具１、プレート２及び取付枠３を一体に組み付けた状態であり、プラグ引き出し用器具１が上下方向に３個並べて取付枠３に取り付けられている。つまり、本実施形態では、プラグ引き出し用器具１の器具本体１０が、例えばＪＩＳ（ＪＩＳ  Ｃ  ８３０４）等で規格化された大角形連用配線器具の単位寸法（取付枠３に設けられた窓孔３１の長手方向に３個並べて取付可能な寸法であり、この寸法を１個モジュール寸法という）に形成されている。したがって、図４（ａ）及び図４（ｂ）ではプラグ引き出し用器具１を取付枠３に３個並べて取り付けているが、例えばスイッチなどの他の大角形連用配線器具と並設することもできるため、使い勝手が向上するという利点がある。なお、図４（ａ）はケーブルＣＡ１に設けたプラグ５を器具本体１０の収納部１０ｃに収納した状態であり、従来例のようにケーブルが垂れ下がった状態でプラグを保持するのではなく、器具本体１０の収納部１０ｃに収納して保持するので、従来例に比べて見栄えが向上する。また、図４（ｂ）はケーブルＣＡ１を前側に引き出した状態であり、引き出したケーブルＣＡ１はプラグ５を介してＨＵＢなどの集線装置に接続される。
【００２６】
なお、本実施形態では、器具本体１０の下側後端縁と保持突起１０ｂの間で背面板１１の下部を保持しているが、より好ましくは器具本体１０の上側後端縁との間で背面板１１の上部を保持する保持手段を設けるのがよい。また、本実施形態では、器具本体１０が１個モジュール寸法の場合を例に説明したが、取付枠３に取り付けられるようになっていればよく、例えば２個モジュール寸法や３個モジュール寸法であってもよい。
【００２７】
（実施形態２）
本発明に係るプラグ引き出し用器具の実施形態２について、図８〜図１０を参照しながら説明する。実施形態１では背面板１１が器具本体１０に対して着脱自在となっていたが、本実施形態では背面板１１が器具本体１０に回転自在に支持されている。なお、それ以外の構成は実施形態１と同様であり、同一の構成要素には同一の符号を付して説明を省略する。
【００２８】
本実施形態のプラグ引き出し用器具１は、図８及び図９（ａ）に示すように、前後方向の両端が開口する角筒状の器具本体１０と、器具本体１０の後側の開口を覆うように当該器具本体１０の筒内に配置される背面板１１とを備える。
【００２９】
背面板１１は、その上端縁において器具本体１０の後側の開口縁に一体に連結されており、この連結部分を中心に前後方向に回動自在となっている。ここに、本実施形態では、上記の連結部分により軸部が構成されている。
【００３０】
次に、プラグ引き出し用器具１にケーブルＣＡ１を施工する手順について、図８（ａ）〜図８（ｃ）を参照しながら説明する。背面板１１に設けた操作片１１ｂを前側に引くと、上記の連結部分を中心に背面板１１が前側に回転し、器具本体１０の後側の開口が解放された状態になる（図８（ｂ）参照）。そして、図８（ｂ）に示すように、器具本体１０の後側の開口を通してケーブルＣＡ１を前側に引き出した後、操作片１１ｂを後側に押すと、上記の連結部分を中心に背面板１１が後側に回転し、器具本体１０の後側の開口が閉じた状態になる（図８（ｃ）参照）。なおこのとき、ケーブルＣＡ１は背面板１１のケーブル挿通孔１１ａ内に配置される。
【００３１】
而して、本実施形態によれば、背面板１１が上記の連結部分（軸部）で器具本体１０に回転自在に支持されているので、ケーブルＣＡ１の通線時には背面板１１を回転させて器具本体１０の後側の開口を開放することで通線の邪魔になることがなく、施工性が向上する。また、背面板１１を着脱自在とした場合には背面板１１をなくす虞があるが、本構成では背面板１１を器具本体１０と一体に設けているので背面板１１をなくすことがないという利点もある。
【００３２】
なお、本実施形態では、背面板１１を保持する保持突起１０ｂを器具本体１０の筒内の底面に設けているが、例えば図９（ｂ）に示すように筒内の左右両側壁に設けてもよい。また、図示は省略しているが、実施形態１の構成においても保持突起１０ｂを器具本体１０の筒内の左右両側壁に設けてもよい。
【００３３】
次に、図１０（ａ）及び図１０（ｂ）は、２枚の扉体１１ｃ，１１ｄにより背面板１１を構成した例を示している。このプラグ引き出し用器具１は、前後方向の両端が開口する角筒状の器具本体１０と、２枚の扉体１１ｃ，１１ｄで構成された背面板１１とを備える。下側の扉体１１ｄは、ケーブルＣＡ１を挿通させるためのケーブル挿通孔１１ａが下側中央に設けられ、さらにケーブル挿通孔１１ａの左右両側にはＬ字状の操作片１１ｂ，１１ｂが設けられている。なお、これらの扉体１１ｃ，１１ｄには、図示しない復帰ばねにより下向きの弾性力が加えられている。
【００３４】
このプラグ引き出し用器具１では、操作片１１ｂを用いて下側の扉体１１ｄを上側に移動させると、上側の扉体１１ｃも扉体１１ｄに連動する形で上側に移動し、器具本体１０の後側の開口が解放された状態になる（図１０（ｂ）参照）。この状態から操作片１１ｂを離すと、上記の復帰ばねのばね力を受けて扉体１１ｃ，１１ｄが下側に移動し、器具本体１０の後側の開口が閉じた状態になる（図１０（ａ）参照）。したがって、本例においても、ケーブルＣＡ１の通線時には背面板１１を構成する２枚の扉体１１ｃ，１１ｄを押し上げて器具本体１０の後側の開口を開放することで通線の邪魔になることがなく、施工性が向上する。
【００３５】
（実施形態３）
本発明に係るプラグ引き出し用器具の実施形態３について、図１１〜図１３を参照しながら説明する。本実施形態では、器具本体１０の収納部１０ｃに収納したプラグ５を保持する保持部材９を設けた点で実施形態１，２と異なっている。なお、実施形態１，２と同一の構成要素には同一の符号を付して説明を省略する。
【００３６】
本実施形態のプラグ引き出し用器具１は、図１１に示すように、前後方向の両端が開口する角筒状の器具本体１０と、器具本体１０の後側の開口を覆うように当該器具本体１０の筒内に配置される背面板１１と、器具本体１０の収納部１０ｃに収納させたプラグ５を保持する保持部材９とを備える。
【００３７】
保持部材９は、外形寸法が器具本体１０の前面開口と略同寸法に設定された合成樹脂成形品からなり、器具本体１０の収納部１０ｃに収納させたプラグ５の一部を前側に露出させるための切欠き部９１が設けられている。この切欠き部９１は、図１１（ｃ）に示すようにプラグ５を前側から見た形状と略同形状に形成されており、器具本体１０に保持部材９を取り付けた状態では、プラグ５を強固に保持できるようになっている。
【００３８】
次に、プラグ５を器具本体１０に保持する手順について、図１１（ａ）〜図１１（ｃ）を参照しながら説明する。なお、プラグ引き出し用器具１にケーブルＣＡ１を施工する手順については実施形態１，２と同様であり、ここでは説明を省略する。
【００３９】
図１１（ａ）に示すように、ケーブルＣＡ１に設けたプラグ５を器具本体１０の収納部１０ｃに収納した状態において、保持部材９を前側から器具本体１０の筒内（収納部１０ｃ）に挿入すると、図１１（ｃ）に示すようにプラグ５が保持部材９の切欠き部９１内に配置される。なおこのとき、プラグ５は、図１１（ｂ）に示すようにその先端部分が前側に露出した状態に配置される。
【００４０】
また、図１２は本実施形態のプラグ引き出し用器具１の他の例であり、図１１に示す例では先にプラグ５を器具本体１０の収納部１０ｃに収納させた後、保持部材９を器具本体１０の筒内に挿入しているが、本例では先に保持部材９を器具本体１０の筒内に挿入している点で異なっている。
【００４１】
具体的にその手順について説明すると、図１２（ａ）に示すように器具本体１０の筒内（収納部１０ｃ）に保持部材９を挿入した後、保持部材９の切欠き部９１内にプラグ５を配置すると（図１２（ｃ）参照）、図１２（ｂ）に示すように先端部分が前側に露出した状態でプラグ５が器具本体１０の収納部１０ｃに収納される。
【００４２】
而して、本実施形態によれば、器具本体１０の収納部１０ｃに収納したプラグ５を保持部材９により保持しているので、プラグ５が前側に脱落するのを防止することができる。また、プラグ５の先端部分を保持部材９に設けた切欠き部９１から前側に露出させているので、この露出部分を前側に引っ張ることでプラグ５を容易に引き出すことができる。
【００４３】
次に、図１３は保持部材１３と背面板１１を一体に設けた例を示している。このプラグ引き出し用器具１は、前後方向の両端が開口する角筒状の器具本体１０と、器具本体１０の後側の開口を覆うように当該器具本体１０の筒内に配置される背面板１１と、背面板１１と一体に設けられて器具本体１０の収納部１０ｃに収納されたプラグ５を保持する一対の保持部材１３，１３とを備える。
【００４４】
背面板１１は、その上端部において器具本体１０の後側の開口縁に一体に連結されており、この連結部分を中心に前後方向に回動自在となっている。
【００４５】
保持部材１３は、背面板１１の前面から前方に延設された矩形板状の主片１３ａを有し、主片１３ａの先端部にはプラグ５を左右方向から保持する保持片１３ｂが上向きに突設されている。また、本実施形態では、背面板１１を開閉する際の操作片として保持部材１３を兼用しており、したがって背面板１１専用の操作片が不要である。
【００４６】
次に、プラグ５を器具本体１０に保持する手順について、図１３（ａ）〜図１３（ｄ）を参照しながら説明する。まず、保持部材１３を用いて背面板１１を前側に回転させて器具本体１０の後側の開口を解放させた後、器具本体１０の後側の開口を通して前側にケーブルＣＡ１を引き出す（図１３（ｂ）参照）。そして、保持部材１３を用いて背面板１１を後側に回転させて器具本体１０の後側の開口を閉じた後、プラグ５を両保持部材１３，１３に載置させると、図１３（ｄ）に示すように両保持部材１３，１３の保持片１３ｂ，１３ｂによりプラグ５が左右両側から保持された状態になる。なおこのとき、プラグ５は、図１３（ｃ）に示すようにその先端部分が前側に露出した状態で器具本体１０の収納部１０ｃに収納される。
【００４７】
なお、図１３に示す例では、背面板１１を器具本体１０に回転自在に支持させているが、保持部材１３が一体に設けられていればよく、背面板１１が器具本体１０に対して着脱自在であってもよい。この場合も、保持部材１３により背面板１１の操作片を兼用できることから、背面板１１専用の操作片が不要になるという利点がある。また、保持部材１３の形状は本実施形態に限定されるものではなく、器具本体１０の収納部１０ｃに収納されたプラグ５を保持できるようになっていれば他の形状でもよい。さらに、上記の保持部材９は本実施形態のものに限定されるものではなく、例えば器具本体１０の収納部１０ｃに収納したプラグ５が前側に脱落しないように器具本体１０の前側を覆う蓋状のものであってもよい。
【符号の説明】
【００４８】
１  プラグ引き出し用器具
５  プラグ
１０  器具本体
１０ｃ  収納部
１１  背面板
１１ａ  ケーブル挿通孔
ＣＡ１  ケーブル
【図１】
2012075205.tif 000003
【図２】
2012075205.tif 000004
【図３】
2012075205.tif 000005
【図４】
2012075205.tif 000006
【図５】
2012075205.tif 000007
【図６】
2012075205.tif 000008
【図７】
2012075205.tif 000009
【図８】
2012075205.tif 000010
【図９】
2012075205.tif 000011
【図１０】
2012075205.tif 000012
【図１１】
2012075205.tif 000013
【図１２】
2012075205.tif 000014
【図１３】
2012075205.tif 000015